(57)【要約】      （修正有）【課題】ガスタービン吸気口には、ガス流の温度を下げることにより出力と効率を増加させるパワー増加システムが利用されるが、パワー増加システムが動作していないときは、圧縮機に入る空気流にパワー増加システムによる抵抗が付加されるため、圧力降下が生じ、出力と効率が低下する。パワー増加システムが作動していないときに、圧力降下を減少させる必要がある。【解決手段】パワー増加システム４０を有するガスタービン吸気口フィルター室１００用の空気バイパスシステム１１０は、パワー増加システム４０周辺の吸気口フィルター室１００に配置するダクト１２０、１４０と、ダクトを開閉するようにダクト内に配置するダンパーと、を備える。パワー増加システム４０が動作していないときには、空気バイパスシステム１１０を用いて、空気流の抵抗を避ける。【選択図】図２Ｃ
2008002466.tif 000002
【特許請求の範囲】
【請求項１】
ガスタービン吸気口フィルター室（１００）の内部に配置するパワー増加システム（４０）を有するガスタービン吸気口フィルター室（１００）用の空気バイパスシステム（１１０）であって、
パワー増加システム（４０）周辺の吸気口フィルター室（１００）上に配置するダクト（１２０）と、
ダクト（１２０）を開閉するようにダクト（１２０）内に配置するダンパー（１５０）と、を備える空気バイパスシステム（１１０）。
【請求項２】
複数のダクト（１２０、１３０、１４０）をさらに備える請求項１に記載の空気バイパスシステム（１１０）。
【請求項３】
複数のダクト（１２０、１３０、１４０）は、サイドダクト（１２０、１３０）対を備える請求項２に記載の空気バイパスシステム（１１０）。
【請求項４】
ダクト（１２０）は、上端ダクト（１４０）を備える請求項１に記載の空気バイパスシステム（１１０）。
【請求項５】
ダクト（１２０）はポリマーからなる請求項１に記載の空気バイパスシステム（１１０）。
【請求項６】
ダンパー（１５０）はダンパードア（１５０）を備える請求項１に記載の空気バイパスシステム（１１０）。
【請求項７】
パワー増加システム（４０）が動作中のときに、ダンパー（１５０）を閉じる請求項１に記載の空気バイパスシステム（１１０）。
【請求項８】
ダクト（１２０）は、パワー増加システム（４０）を迂回する請求項１に記載の空気バイパスシステム（１１０）。
【請求項９】
ガスタービン吸気口フィルター室（１００）の内部に配置するパワー増加システム（４０）を有するガスタービン吸気口フィルター室（１００）を備えるガスタービンエンジンの効率を向上する方法であって、
パワー増加システム（４０）周辺の空気流領域を増加させ、
パワー増加システム（４０）を活動させ、
パワー増加システム（４０）が作動しているとき、パワー増加システム（４０）周辺の空気流領域を減少させること、からなる方法。
【発明の詳細な説明】
【技術分野】
【０００１】
本出願は、一般にガスタービンに関し、さらに詳細にはガスタービン吸気口内の圧力降下を減少させるための空気バイパスシステムに関する。
【背景技術】
【０００２】
一般に記述されるように、ガスタービンエンジンは、流入する空気を圧縮するための圧縮機と、燃料を圧縮空気と混合して燃料と空気に点火し、高温のガス流を形成するための燃焼機と、高温のガス流により駆動されるタービンとを備える。またその他の部品もここに用いてもよい。ガスタービンエンジンのパワーは、そこを通過する種々の位置におけるガス流の温度と一般に関連がある。具体的には、圧縮機吸気口での温度、圧縮比、および燃焼機排気口の温度を、エンジンの動作中に綿密に監視する。一般に、圧縮機に入るガス流の温度を下げると、エンジンの出力が増加するという結果になる。
【０００３】
温度を低下させる公知の方法には、パワー増加システムの利用が含まれる。パワー増加システムは、ガス流の温度を下げるように、冷却コイルと蒸発冷却器とを備える。例えば、公知のパワー増加システムは、米国特許第７００７４８４Ｂ２号および米国特許出願第２００５／００５６０２３Ａｌ号に示されている。
【０００４】
しかし、パワー増加システムを用いると、圧縮機に入る空気流に抵抗が付加される。この抵抗は、吸気システムにおける圧力降下として定義され、インチ水柱の単位で測定される。タービン効率とパワー出力は、吸気システムの圧力降下が直接作用する。吸気システムの圧力降下が大きくなるほど、タービンの効率とパワー出力が低下する。
【０００５】
パワー増加システムは、所望の周囲条件において動作する際に、ガスタービン出力と効率を増加させる。しかし、パワー増加システムが動作していないとき、空気吸気口の流れにおいてシステムが付加するさらなる圧力降下が、ガスタービン効率と出力を減少させる。発電用ガスタービン吸気システム中での典型的な圧力降下の値は、約２〜約５インチ水柱（約５〜約１２．７センチメートル水柱）の範囲で変化する。これは、約０．５インチ〜約１．５インチ水柱（約１．２７〜約３．８センチメートル水柱）の範囲で変化する、パワー増加システム中の圧力降下を含む。ガスタービンフレームの寸法に依存して、この圧力降下の値は、定格ＩＳＯ条件における約１〜約５メガワットの範囲内ではどこでも、ガスタービン出力に影響を及ぼす。これにより、約０．０１％〜約０．３％の範囲においてタービン効率が影響を受ける。しかし、機械的に駆動するガスタービンを発電あるいはその他種々に利用する、競争の激しいビジネスにおいて、効率と出力の各点は重要である。
【０００６】
そのため、パワー増加システムが作動していないときに、空気バイパスシステムにより圧力降下を減少させる、ガスタービン吸気口用の空気バイパスシステムに対する要求がある。そのような空気バイパスシステムは、ガスタービンエンジンの全体的な効率とパワーを増加させる。
【特許文献１】米国特許第７，００７，４８４Ｂ２号
【特許文献２】米国特許出願第２００５／００５６０２３Ａ１号
【特許文献３】欧州特許公開第１,４８４,４８９Ａ２号
【非特許文献１】Ｗｉｌｌｉａｍ  Ｅ．  Ｓｔｅｗａｒｔ，  Ｊｒ．,“Ｄｅｓｉｇｎ  Ｇｕｉｄｅ：  Ｃｏｍｂｕｓｔｉｏｎ  Ｔｕｒｂｉｎｅ  Ｉｎｌｅｔ  Ａｉｒ  Ｃｏｏｌｉｎｇ  Ｓｙｓｔｅｍｓ”，  １９９９，  Ｐｇｓ．１−９１．
【発明の開示】
【０００７】
すなわち、本出願は、パワー増加システムを有するガスタービン吸気口フィルター室用の空気バイパスシステムを提供する。空気バイパスシステムは、パワー増加システム周辺の吸気口フィルター室上に配置するダクトと、ダクトを開閉するようにダクト内に配置するダンパーと、を備える。
【０００８】
空気バイパスシステムは、多数のダクトをさらに備えてもよい。ダクトは、サイドダクト対と上端ダクトとを備えてもよい。ダクトはポリマーから構成されてもよい。ダンパーは、ダンパードアまたは空気袋を備えてもよい。パワー増加システムが作動しているときに、ダンパーを閉じてもよい。ダクトは、パワー増加システムを迂回する。
【０００９】
本出願はさらに、ガスタービン吸気口フィルター室についても記載している。フィルター室は、パワー増加システムと、パワー増加システム周辺の空気バイパスシステムと、を備えてもよい。
【００１０】
空気バイパスシステムは、パワー増加システム周辺に配置するダンパードアを備えてもよい。また、空気バイパスシステムは、パワー増加システム周辺に配置するダクトを備えてもよい。空気バイパスシステムは、ダクト内に配置するダンパーを備えてもよい。多数のダクトを用いてもよい。ダクトは、サイドダクト対と上端ダクトとを備えてもよい。ダクトは、ポリマーあるいは種々の異なる材料で構成されてもよい。
【００１１】
さらに、本出願は、その中にパワー増加システムを有する吸気口フィルター室を備えるガスタービンエンジンの効率を向上させる方法について記載している。本方法は、パワー増加が必要でないときパワー増加システム周辺の空気流領域を増加させ、パワー増加システムを作動させて付加的なパワーを発生させ、パワー増加システムが作動しているときパワー増加システムを通過するように空気流を拘束することから成る。
【００１２】
本出願のこれらおよびその他の特徴は、図面および添付の特許請求の範囲とともに詳細に説明されるいくつかの実施形態により、当該分野の技術者には明らかになるであろう。
【発明を実施するための最良の形態】
【００１３】
図面を参照すると、いくつかの図面を通じて同様の部品は同じ符号により表されており、図１Ａ〜１Ｃは公知の吸気口フィルター室１０を示す。吸気口フィルター室１０は、上記に説明されるようなガスタービンエンジンとともに用いる。吸気口フィルター室１０は、フィルター室外囲２０を備える。フィルター室外囲２０は、典型的に、その内部に配置する多数のフィルター３０を有する箱型構造である。フィルター３０は、全体としてちりや破片がガスタービンエンジン中に吸い込まれるのを制限する従来のフィルター装置である。パワー増加システム４０は、フィルター室外囲２０の内部に配置される。パワー増加システム４０は、冷却コイル５０または上記のその他のタイプの冷却装置を備える。遷移区画６０は、フィルター室外囲２０に隣接して配置される。遷移区画６０は、空気の流速を増加させるように、空気の流路を狭める。遷移区画６０は、吸気口ダクト７０に通じている。吸気口ダクト７０は、上記のようなガスタービン部品に通じている。吸気口フィルター室１０は、支持体８０またはその他のタイプの位置決め装置を備える。吸気口フィルター室１０は、所望されるその他のあるいは付加的な部品を備えてもよい。
【００１４】
図２Ａ〜２Ｃは、ここの説明されるような吸気口フィルター室１００を示す。吸気口フィルター室１００は、吸気口フィルター室１０および／または同様な部品に関して上記に説明された部品を備える。吸気口フィルター室１００は、空気バイパスシステム１１０も備える。空気バイパスシステム１１０は多数のバイパスダクトを備える。この場合、バイパスダクトは、サイドダクト対、すなわち第１のサイドダクト１２０と第２のサイドダクト１３０、および上端ダクト１４０である。ダクト１２０、１３０、１４０は、冷却コイル５０の周辺に配置する。ダクト１２０、１３０、１４０のすべてを用いるわけではない。ダクト１２０、１３０、１４０のその他およびさらなる構成をここに用いてもよい。矢印は、ダクト１２０、１３０、１４０を通過する空気の流れを示す。ダクト１２０、１３０、１４０は、ポリマーあるいはその他の軽量タイプの材料により構成される。ダクト１２０、１３０、１４０は、一般に、どのようなタイプの構造的な役割も有していない。しかしながら、金属およびその他のタイプの標準的な構造材料を用いてもよい。ダクト１２０、１３０、１４０を空気袋の形状にしてもよい。空気袋は、それを通過する空気の流路を作るように、しぼんだり膨らんだりすることができる。
【００１５】
図３は、その内部にダンパーとしてのダンパードア１５０を配置する空気バイパスシステム１１０を示す。ダンパードア１５０は、手動または自動で制御される。ここで、任意の数のダンパードア１５０を用いてもよい。別法として、ダクト１２０、１３０、１４０の内部で、あるいはダクト１２０、１３０、１４０の代わりに、空気袋がしぼんだり膨らんだりして、ドア１５０を用いることなく、それを通過する空気の流路を制御できる。
【００１６】
図４Ａ〜４Ｃは、吸気口フィルター室２００のさらなる実施形態を示す。上記のように、吸気口フィルター室２００は、吸気口室の部品１０および／または同様な部品を備える。吸気口フィルター室２００は、空気バイパスシステム２１０も備える。このシステム２１０では、上部ダクト２２０である唯一のダクトを用いる。上部ダクト２２０を、冷却装置５０の周辺に配置する。同様に、上部ダクト２２０は、説明されるようなダクト２２０を開閉するように、内部に配置するダンパー２３０を備える。空気バイパスシステム２１０の構成には、パワー増加システム４０に関する配管と干渉する可能性を避けるという優位性がある。同様な構成を個々に用いてもよい。
【００１７】
使用の際に、一般に空気バイパスシステム１１０、２１０は、パワー増加システム４０が動作していないときにのみ用いられる。パワー増加システム４０の作動中は、空気バイパスシステム１１０、２１０は、ダンパードア１５０、２３０またはその他の手段により閉じられる。パワー増加システム４０が動作していないとき、空気バイパスシステム１１０、２１０は、パワー増加システム４０の周りに流れの領域を付加してパワー増加システム４０を通過する抵抗を避けるように、一部あるいはすべてのダクト１２０、１３０、１４０を通過する流入空気のルートを決める。
【００１８】
このように、空気バイパスシステム１１０、２１０を用いると、パワー増加システム４０の周りに付加的な流路を形成することにより、吸気システムの抵抗を最小化する。圧力降下はガス速度の２乗で変化するので、利用可能な流れの領域の増加が少なくても（すなわち、空気速度の減少）、圧力降下の減少が起きる。このように、空気バイパスシステム１１０、２１０を用いると、吸気口の圧力降下を減少させて、タービン出力および性能を増加させる。また、空気バイパスシステム１１０、２１０を用いると、パワー増加システム４０による設計圧力降下がそれを用いない場合の熱交換器のコストと性能面でのマイナス面との間の折衷案ではないので、パワー増加システム４０の全体的な経済性を向上させる。このように、パワー増加が必要でないとき、独立した手段を利用して作動中の吸気口の圧力降下を減少させることができるので、パワー増加システム４０は、稼働中のコストや圧力降下を減少させるように設計することが可能である。
【００１９】
図５Ａおよび５Ｂは、吸気口フィルター室３００のさらなる実施形態を示す。本実施形態において、冷却コイル５０は、フィルター室外囲２０の前面に移動してもよい。フィルター３０自体は、冷却コイル５０の背後に位置する。偏流除去装置および／またはコアレッサーパッド３１０を、ここで用いてもよい。吸気口フィルター室３００は、空気バイパスシステム３２０も備える。空気バイパスシステム３２０は、冷却コイル５０とフィルター３０との間に位置するダンパードア３３０の対を備える。冷却コイル５０を使用していないとき、空気流が直接フィルター３０中に流入するように、ダンパードア３３０を開放してもよい。このように、冷却コイル５０がフィルター３０の前面に位置しかつ動作していないときに、空気バイパスシステム３２０を利用すると、圧力降下を減少させることが可能になる。空気バイパスシステム３２０は、開きダンパードア３３０あるいは空気袋を利用してもよい。
【００２０】
上記説明は、本出願の好適な実施形態のみに関するものであること、また次の特許請求の範囲及びそれと等価なものにより定義される本発明の一般的な精神および範囲内において、当該分野の技術者には種々の変更および変形が可能であることが明白である。
【図面の簡単な説明】
【００２１】
【図１Ａ】公知の吸気口フィルター室の正面図である。
【図１Ｂ】図１Ａの公知の吸気口フィルター室の上面図である。
【図１Ｃ】図１Ａの公知の吸気口フィルター室の側面図である。
【図２Ａ】ここに記述されるような空気バイパスシステムを有する吸気口フィルター室の正面図である。
【図２Ｂ】図２Ａの空気バイパスシステムを有する吸気口フィルター室の上面図である
【図２Ｃ】図２Ａの空気バイパスシステムを有する吸気口フィルター室の側面図である。
【図３】空気ダンパーを例示する図２Ａ〜２Ｃの空気バイパスダクトの拡大図である。
【図４Ａ】空気バイパスシステムの別の実施形態を有する吸気口フィルター室の正面図である。
【図４Ｂ】図４Ａの空気バイパスシステムの別の実施形態を有する吸気口フィルター室の上面図である。
【図４Ｃ】図４Ａの空気バイパスシステムの別の実施形態を有する吸気口フィルター室の側面図である。
【図５Ａ】空気バイパスシステムの別の実施形態を有する吸気口フィルター室の正面図である。
【図５Ｂ】図５Ａの空気バイパスシステムの別の実施形態を有する吸気口フィルター室の上面図である。
【符号の説明】
【００２２】
１０  吸気口フィルター室
２０  フィルター室外囲
３０  フィルター
４０  パワー増加システム
５０  冷却コイル
６０  遷移区画
７０  吸気口ダクト
８０  支持体
１００  吸気口フィルター室
１１０  空気バイパスシステム
１２０  第１のサイドダクト
１３０  第２のサイドダクト
１４０  上端ダクト
１５０  ダンパードア
２００  吸気口フィルター室
２１０  空気バイパスシステム
２２０  上部ダクト
２３０  ダンパードア
３００  吸気口フィルター室
３１０  偏流除去装置
３２０  空気バイパスシステム
３３０  ダンパードア
【図１Ａ】
2008002466.tif 000003
【図１Ｂ】
2008002466.tif 000004
【図１Ｃ】
2008002466.tif 000005
【図２Ａ】
2008002466.tif 000006
【図２Ｂ】
2008002466.tif 000007
【図２Ｃ】
2008002466.tif 000008
【図３】
2008002466.tif 000009
【図４Ａ】
2008002466.tif 000010
【図４Ｂ】
2008002466.tif 000011
【図４Ｃ】
2008002466.tif 000012
【図５Ａ】
2008002466.tif 000013
【図５Ｂ】
2008002466.tif 000014